(57)【要約】【課題】各ウエーハ面取り機の加工条件が異なったとしても、加工されたウエーハ端面の形状精度が所定範囲に入るようにして均一な品質を保ち、高い生産性を維持する。【解決手段】ウエーハ面取り機１０が複数台設置されたウエーハ面取りライン１と、それぞれのウエーハ面取り機１０で加工されたウエーハＷの端面形状を測定するウエーハ形状測定機２と、ウエーハ形状測定機２で測定された値から研削砥石５５の修正要否を判定するコントローラ３-１と、複数のマスター溝１４３-１…が設けられたマスター砥石１４２を設けマスター溝１４３-１…によって研削砥石５５の研削溝を形成可能とした砥石加工機３-２と、を備え、コントローラ３-１はウエーハ形状測定機２で測定された値に基づいて複数のマスター溝１４３-１…からいずれかを決定し、砥石加工機３-２は決定されたマスター溝１４３-１…を用いて研削溝を形成する。【選択図】図１
2019166624.tif 000002
【特許請求の範囲】
【請求項１】
研削砥石を用いてウエーハ外周部の面取りを行うウエーハ面取り機を複数有する面取り加工システムにおいて、
前記ウエーハ面取り機が複数台設置されたウエーハ面取りラインと、
それぞれの前記ウエーハ面取り機で加工された前記ウエーハの端面形状を測定するウエーハ形状測定機と、
前記ウエーハ形状測定機で測定された値から前記研削砥石の修正要否を判定するコントローラと、
複数のマスター溝が設けられたマスター砥石を設け、前記マスター溝によって前記研削砥石の研削溝を形成可能とした砥石加工機と、
を備え、前記コントローラは前記ウエーハ形状測定機で測定された値に基づいて複数の前記マスター溝からいずれかの前記マスター溝を決定し、前記砥石加工機は前記コントローラによって決定された前記マスター溝を用いて前記研削溝を形成することを特徴とする面取り加工システム。
【請求項２】
前記コントローラは、前記ウエーハ形状測定機で測定された値を砥石形状データとして変換し、該砥石形状データと基準値との差に基づいて複数の前記マスター溝からいずれかの前記マスター溝の決定を行うことを特徴とする請求項１に記載の面取り加工システム。
【請求項３】
前記コントローラは、前記ウエーハ形状測定機で測定された値を前記研削砥石の回転軸の傾きと基準値との差を示す軸間差データとして変換し、該軸間差データに基づいて複数の前記マスター溝からいずれかの前記マスター溝の決定を行うことを特徴とする請求項１又は２に記載の面取り加工システム。
【請求項４】
前記砥石加工機は、前記ウエーハ面取りラインにおけるそれぞれの前記ウエーハ面取り機で共通して用いることが可能とされたことを特徴とする請求項１から３のいずれか１項に記載の面取り加工システム。
【請求項５】
前記ウエーハ面取りラインに設置された全ての前記ウエーハ面取り機に対して前記ウエーハ形状測定機で前記ウエーハの端面形状を測定し、前記コントローラによって、前記マスター溝を決定し、前記砥石加工機によって決定された前記マスター溝を用いて前記研削溝を形成することを特徴とする請求項１から４のいずれか１項に記載の面取り加工システム。
【請求項６】
前記ウエーハ面取り機のそれぞれに対して決定した前記マスター溝をデータベース化して前記コントローラに記憶することを特徴とする請求項１から５のいずれか１項に記載の面取り加工システム。
【請求項７】
所定の時間又は所定の前記ウエーハの加工枚数毎に前記ウエーハ形状測定機で前記ウエーハの端面形状を測定し、前記コントローラによって、前記マスター溝を決定し、前記砥石加工機によって決定された前記マスター溝を用いて前記研削溝を形成することを特徴とする請求項１から６のいずれか１項に記載の面取り加工システム。
【請求項８】
前記ウエーハ面取りラインで前記ウエーハの総加工枚数が所定値に達したとき、前記ウエーハ形状測定機で前記ウエーハの端面形状を測定し、前記コントローラによって、前記マスター溝を決定し、前記砥石加工機によって決定された前記マスター溝を用いて前記研削溝を形成することを特徴とする請求項１から７のいずれか１項に記載の面取り加工システム。
【請求項９】
ウエーハを面取りする研削砥石をツルーイング加工して研削溝を形成するツルーイング装置において、
前記ウエーハの端面形状を測定した値から前記研削砥石の修正要否を判定するコントローラと、
複数のマスター溝が設けられたマスター砥石を設け、前記マスター溝によって前記研削溝を形成可能とした砥石加工機と、
を備え、前記コントローラは前記ウエーハの端面形状を測定した値に基づいて複数の前記マスター溝からいずれかの前記マスター溝を決定し、前記砥石加工機は前記コントローラによって決定された前記マスター溝を用いて前記研削溝を形成することを特徴とするツルーイング装置。
【請求項１０】
外周部に前記マスター溝の形状が転写されるツルアーと、該ツルアーを用いて、前記研削溝を形成することを特徴とする請求項９に記載のツルーイング装置。
【発明の詳細な説明】
【技術分野】
【０００１】
本発明は、シリコン、サファイア、化合物、ガラス等の様々な素材、特に半導体ウエーハ、ガラスパネル等のウエーハ外周部の面取りを行うウエーハ面取り機を複数有する面取り加工システム及びそれに用いられるツルーイング装置に関し、特に板状被加工材に対して砥石を傾ける研削に好適である。
【背景技術】
【０００２】
近年、ウエーハの品質向上の要求が強く、ウエーハ端面（エッジ部）の加工状態が重要視されている。半導体デバイス等の作製に使用されるシリコンウェーハ等の半導体ウエーハは、ハンドリングによるチッピングを防止するため、縁部を研削することで面取り加工が行われ、研磨による鏡面面取り加工が行われている。つまり、半導体製造工程において、ウエーハ製造からデバイス製造に至るまで、エッジ特性の品質改善は必要不可欠なプロセスとなっている。
【０００３】
シリコン等は固くてもろく、ウエーハの端面がスライシング時の鋭利なままでは、続く処理工程での搬送や位置合わせなどの取り扱い時に容易に割れたり欠けたりして、断片がウエーハ表面を傷つけたり汚染したりする。これを防ぐため、切り出されたウエーハの端面をダイヤモンドでコートされた面取り砥石で面取りする。
【０００４】
また、スマートフォンやタブレットの薄型化、軽量化のガラス基板にマスキング印刷、センサー電極形成を形成し、その後に切断することが行われている。また、面取りの加工品質、加工面粗さ、マイクロクラックの発生などがガラス基板の端面強度に直接影響する。
【０００５】
さらに、通常の研削ではレジン砥石の回転軸に対してウエーハの主面が垂直となる状態で面取り部を研削するが、この場合、面取り部には円周方向の研削痕が発生し易い。そこで、ウエーハに対して例えばレジンボンド砥石（レジン砥石）を傾けてウエーハの面取り部を研削する、いわゆるヘリカル研削を行うことが知られている。
【０００６】
特に、面取り面の粗さ精度を改善すると共に研摩効率を低下させないため、半導体ウエーハの周縁を研磨する半導体ウエーハの面取り方法において、砥石の回転軸を半導体ウエーハ外周の接線方向に傾けて半導体ウエーハの周縁を研磨することにより、砥石の砥粒運動方向を半導体ウエーハの研磨面に対して傾斜させることが知られ、特許文献１、２に記載されている。
【０００７】
また、ヘリカル研削を行うと、通常研削に比べ面取り部の加工歪みを低減させるだけでなく、ウエーハの面取り部と砥石とが面接触となり、接触領域が増えて面取り部の表面粗さが改善される効果が得られる。
【０００８】
また、ウエーハ面取り機は量産ラインで採用されているが、通常１台で２〜１２カセットに収納されたウエーハの加工が行われる。そのため、１台のウエーハ面取り機は二つのウエーハ加工が可能で、研削砥石の回転軸を２軸設けた２軸面取り機とされることが多い。さらに、実際の量産ラインでは、ウエーハ面取り機が複数台設置され、研削部が５０軸に至る加工を行う面取り加工システムとされていることもある。
【０００９】
さらに、ウエーハ面取り機で面取り加工するウエーハには所定の規格があり、ウエーハ面取り機は、その規格に合致するように加工条件を設定してウエーハの面取り加工を行うようにしている。通常は面取り加工されたウエーハの外形を測定して、規格通りにウエーハが面取り加工されているかが検査される。
【先行技術文献】
【特許文献】
【００１０】
【特許文献１】特開平５−１５２２５９号公報
【特許文献２】特開２０１７−１５９４２１号公報
【発明の概要】
【発明が解決しようとする課題】
【００１１】
上記従来技術において、特許文献１、２に記載のものは、各ウエーハ面取り機において、ヘリカル研削を行う砥石のツルーイングを行っている。つまり、マスター砥石のマスター溝の断面形状から各ウエーハ面取り機に設けられたツルアーの外周部の断面形状へ転写し、転写されたツルアーを用いて、回転軸がウエーハＷの接線方向に傾斜した砥石の溝形状を形成している。
【００１２】
したがって、ウエーハ面取り機が複数台設置された場合、正確にそれぞれの加工条件を設定した場合であっても、各ウエーハ面取り機において常に同じ形状のウエーハが面取り加工されるとは限らず、研削砥石の回転軸の傾き、磨耗具合、研削液の供給具合等により、厳密には異なる形状として加工される場合がある。
【００１３】
具体的には、研削砥石の回転軸の傾き角度が各ウエーハ面取り機で異なると、ウエーハ端面の断面形状の対称性が異なる恐れがあった。そして、それを防ぐためには、加工後の検査工程で各ウエーハ面取り機の加工条件、特に研削砥石の回転軸の調整を行う必要があった。
本発明の目的は、上記従来技術の課題を解決し、ウエーハ面取り機が複数台設置された場合、各ウエーハ面取り機の加工条件、特に研削砥石の回転軸の設定が異なったとしても、各ウエーハ面取り機で加工されたウエーハ端面の形状精度が所定範囲に入るようにして、全体で総合的に管理することにある。
【００１４】
特に、ヘリカル研削において、回転軸によるウエーハ端面の断面形状への影響を少なくして、多数の面取り加工を行う場合であっても、均一な品質を保ち、調整工程を減らして高い生産性を維持することにある。
【課題を解決するための手段】
【００１５】
上記目的を達成するため、本発明は、研削砥石を用いてウエーハ外周部の面取りを行うウエーハ面取り機を複数有する面取り加工システムにおいて、前記ウエーハ面取り機が複数台設置されたウエーハ面取りラインと、それぞれの前記ウエーハ面取り機で加工された前記ウエーハの端面形状を測定するウエーハ形状測定機と、前記ウエーハ形状測定機で測定された値から前記研削砥石の修正要否を判定するコントローラと、複数のマスター溝が設けられたマスター砥石を設け、前記マスター溝によって前記研削砥石の研削溝を形成可能とした砥石加工機と、を備え、前記コントローラは前記ウエーハ形状測定機で測定された値に基づいて複数の前記マスター溝からいずれかの前記マスター溝を決定し、前記砥石加工機は前記コントローラによって決定された前記マスター溝を用いて前記研削溝を形成するものである。
【００１６】
さらに、上記において、前記コントローラは、前記ウエーハ形状測定機で測定された値を砥石形状データとして変換し、該砥石形状データと基準値との差に基づいて複数の前記マスター溝からいずれかの前記マスター溝の決定を行うことが望ましい。
【００１７】
さらに、上記において、前記コントローラは、前記ウエーハ形状測定機で測定された値を前記研削砥石の回転軸の傾きと基準値との差を示す軸間差データとして変換し、該軸間差データに基づいて複数の前記マスター溝からいずれかの前記マスター溝の決定を行うことが望ましい。
【００１８】
さらに、上記において、前記砥石加工機は、前記ウエーハ面取りラインにおけるそれぞれの前記ウエーハ面取り機で共通して用いることが可能とされたことが望ましい。
【００１９】
さらに、上記において、前記ウエーハ面取りラインに設置された全ての前記ウエーハ面取り機に対して前記ウエーハ形状測定機で前記ウエーハの端面形状を測定し、前記コントローラによって、前記マスター溝を決定し、前記砥石加工機によって決定された前記マスター溝を用いて前記研削溝を形成することが望ましい。
【００２０】
さらに、上記において、前記ウエーハ面取り機のそれぞれに対して決定した前記マスター溝をデータベース化して前記コントローラに記憶することが望ましい。
【００２１】
さらに、上記のものにおいて、所定の時間又は所定の前記ウエーハの加工枚数毎に前記ウエーハ形状測定機で前記ウエーハの端面形状を測定し、前記コントローラによって、前記マスター溝を決定し、前記砥石加工機によって決定された前記マスター溝を用いて前記研削溝を形成することが望ましい。
【００２２】
さらに、上記のものにおいて、前記ウエーハ面取りラインで前記ウエーハの総加工枚数が所定値に達したとき、前記ウエーハ形状測定機で前記ウエーハの端面形状を測定し、前記コントローラによって、前記マスター溝を決定し、前記砥石加工機によって決定された前記マスター溝を用いて前記研削溝を形成することが望ましい。
【００２３】
さらに、本発明は、ウエーハを面取りする研削砥石をツルーイング加工して研削溝を形成するツルーイング装置において、前記ウエーハの端面形状を測定した値から前記研削砥石の修正要否を判定するコントローラと、複数のマスター溝が設けられたマスター砥石を設け、前記マスター溝によって前記研削溝を形成可能とした砥石加工機と、を備え、前記コントローラは前記ウエーハの端面形状を測定した値に基づいて複数の前記マスター溝からいずれかの前記マスター溝を決定し、前記砥石加工機は前記コントローラによって決定された前記マスター溝を用いて前記研削溝を形成するものである。
【００２４】
また、上記のものにおいて、外周部に前記マスター溝の形状が転写されるツルアーと、該ツルアーを用いて、前記研削溝を形成することが望ましい。
【発明の効果】
【００２５】
本発明によれば、それぞれのウエーハ面取り機で加工されたウエーハの端面形状を測定し、その値から研削砥石の修正要否を判定するコントローラを備え、複数のマスター溝を設けた砥石加工機からいずれかのマスター溝を決定する。そして、決定されたマスター溝を用いて研削砥石の研削溝を形成するので、研削砥石の回転軸の設定が各ウエーハ面取り機で異なったとしても、ウエーハの形状精度が所定範囲に入るようにすることができる。したがって、多数の面取り加工を行う場合であっても、均一な品質を保ち、調整工程を減らして高い生産性を維持できる。
【図面の簡単な説明】
【００２６】
【図１】本発明の一実施形態に係る面取り加工システムの構成を示すブロック図
【図２】一実施形態におけるウエーハ面取り機の主要部を示す正面図
【図３】一実施形態における研削砥石の部分を拡大した側面図
【図４】一実施形態における研削砥石とウエーハＷとの関係を示す断面図
【図５】一実施形態における加工後のウエーハＷの形状を示す断面図
【図６】一実施形態におけるウエーハ面取りラインにおけるウエーハの形状精度の管理及び修正方法を示すフローチャート
【図７】一実施形態におけるツルーイングの動作を示した側面図
【図８】一実施形態におけるマスター砥石の断面図
【図９】一実施形態におけるマスター溝を示す断面図
【図１０】一実施例としてのツルーイングテスト結果を示す表
【発明を実施するための形態】
【００２７】
以下、本発明の実施形態について図面を参照して詳細に説明する。図１は本発明の一実施形態に係る面取り加工システムの構成を示すブロック図である。１は、ウエーハ面取り機１０が複数台設置されたウエーハ面取りラインである。ウエーハ面取りライン１は、研削砥石５５（図２）をそれぞれ２軸、ＡＢ、ＣＤ、ＥＦとして設けたウエーハ面取り機１０-１、１０-２、１０-３…とされている。２はウエーハ形状測定機であり、ウエーハ面取り機１０-１、１０-２、１０-３…で加工されウエーハＷの端面形状などを測定する。
【００２８】
３は、ツルーイング装置であり、コントローラ３-１、砥石加工機３-２を有している。ツルーイング装置３は、ウエーハ形状測定機２で測定した結果が入力され、砥石形状データとして変換する。変換された砥石形状データによってコントローラ３-１で研削砥石の修正要否を判定し、砥石形状データと基準値との差に基づいて研削砥石５５（図２）を修正するためのマスター溝群１４３（図８、９）のいずれかのマスター溝１４３-１…を決定する。決定されたマスター溝１４３-１…を用いて、砥石加工機３-２で研削砥石５５（図２）をツルーイング加工して研削砥石５５（図２）の研削溝を形成する。
【００２９】
図２は、ウエーハ面取り機の主要部を示す正面図である。ウエーハ面取り機１０は、ウエーハ送りユニット２０、砥石回転ユニット５０、図示しないウエーハ供給／収納部、ウエーハ洗浄／乾燥部、ウエーハ搬送手段、及びウエーハ面取り機各部の動作を制御するコントローラ等から構成されている。
【００３０】
ウエーハ送りユニット２０は、本体ベース１１上に載置されたＸ軸ベース２１、２本のＸ軸ガイドレール２２、２２、４個のＸ軸リニアガイド２３、２３、… 、ボールスクリュー及びステッピングモータから成るＸ軸駆動機構２５によって図のＸ方向に移動されるＸテーブル２４を有している。
【００３１】
Ｘテーブル２４には、２本のＹ軸ガイドレール２６、２６、４個のＹ軸リニアガイド２７、２７、… 、図示しないボールスクリュー及びステッピングモータから成るＹ軸駆動機構によって図のＹ方向に移動されるＹテーブル２８が組み込まれている。
【００３２】
Ｙテーブル２８には、２本のＺ軸ガイドレール２９、２９と図示しない４個のＺ軸リニアガイドによって案内され、ボールスクリュー及びステッピングモータから成るＺ軸駆動機構３０によって図のＺ方向に移動されるＺテーブル３１が組み込まれている。
【００３３】
Ｚテーブル３１には、θ軸モータ３２、θスピンドル３３が組み込まれ、θスピンドル３３にはウエーハＷ（板状の被加工材）を吸着載置するウェーハテーブル３４が取り付けられている。ウェーハテーブル３４はウェーハテーブル回転軸心ＣＷを中心として図のθ方向に回転される。
【００３４】
このウエーハ送りユニット２０によって、ウエーハＷ及びツルアー４１は図のθ方向に回転されると共に、Ｘ、Ｙ、及びＺ方向に移動される。
【００３５】
砥石回転ユニット５０は、外周粗研削砥石５２が取り付けられ、図示しない外周砥石モータによって軸心を中心に回転駆動される外周砥石スピンドル５１、上方に配置されたターンテーブル５３に取り付けられた外周精研スピンドル５４及び外周精研モータ５６を有している
【００３６】
図３は、研削砥石５５の部分を拡大した側面図であり、外周精研スピンドル５４にはウエーハＷの外周を仕上げ研削する面取り用砥石である研削砥石５５が取り付けられる。外周精研スピンドル５４は、ウエーハＷの回転軸Ｒに対して３〜２０度傾斜させた状態でウエーハＷの外周面取りの仕上げ加工を行う。これにより、ヘリカル研削が行われ、ウエーハＷの面取り部には斜め方向に弱い研削痕が発生するものの、通常研削に比べ面取り部の表面粗さが改善される効果が得られる。
【００３７】
ウエーハ加工プロセスは、スライス→面取り→ラップ→エッチング→ドナーキラー→精面取りの順で行われ、工程間には汚れを取り除くため、各種洗浄が用いられる。シリコン等は固くてもろく、ウエーハの端面がスライシング時の鋭利なままでは、続く処理工程での搬送や位置合わせなどの取り扱い時に容易に割れたり欠けたりして、断片がウエーハ表面を傷つけたり汚染したりする。これを防ぐため、面取り工程では切り出されたウエーハの端面をダイヤモンドでコートされた面取り砥石で面取りする。
【００３８】
研削砥石５５は、例えば、Ｆｅ、Ｃｒ、Ｃｕ等の金属粉等を主成分とし、ダイヤモンド砥粒を混ぜて成形したものが用いられる。その材質は、例えば、フェノール樹脂、エポキシ樹脂、ポリイミド樹脂、ポリスチレン樹脂又はポリエチレン樹脂等を主成分とし、ダイヤモンド砥粒や立方晶窒化ホウ素砥粒を混ぜて成形したものが望ましい。
【００３９】
また、研削砥石５５は、直径５０ｍｍのダイヤモンド砥粒のレジンボンド砥石で、粒度＃３０００が用いられる。外周精研スピンドル５４は、エアーベアリングを用いたビルトインモータ駆動のスピンドルで、回転速度３５，０００ｒｐｍで回転される。
【００４０】
図４は、研削砥石５５とウエーハＷとの関係を示す断面図であり、回転軸Ｒを傾けた状態である。研削砥石５５の研削溝は、上面斜面５５ｕ、中央部５５Ｃ、下面斜面５５ｄとされ、上面斜面５５ｕは被加工材であるウエーハＷの上面、下面斜面５５ｄは下面との接触領域となる。加工されたウエーハＷの上部及び下部となる上下両端（Ｔｕ、Ｔｄの領域）は、中央部Ｃと比べて条痕が斜面の分、異なる向きの条痕となる。そして、ヘリカル研削の効果が十分に得られ、中央部と遜色なく加工歪み、表面粗さが改善される。
【００４１】
図５は、加工後のウエーハＷの形状を示す断面図である。回転軸Ｒの傾きは、基準値が例えば１５度とされていても、厳密には図１におけるウエーハ面取り機１０-１、１０-２、１０-３…毎に異なる、つまり軸間差を持って設定される。また、回転軸Ｒの傾きがウエーハ面取り機１０-１、１０-２、１０-３…で同じとしても、回転軸Ｒに対する研削砥石５５の傾き、形状が異なる。
【００４２】
回転軸Ｒに対する研削砥石５５の傾きも軸間差とみなすことができる。さらに、軸間差以外にもウエーハＷを固定するウェーハテーブル３４の傾き、ウエーハＷの固定状態、研削抵抗、磨耗具合、研削液の供給具合等のウエーハ面取り機１０-１、１０-２、１０-３…の号機毎の違いにより、加工面の形状精度に影響を与える。
【００４３】
図５は、加工後のウエーハＷの形状を示す断面図の一例であり、図５（ａ）は、厚さが７４０μｍで上面Ａ１が２９０μｍ、Ｂ１が２６０μｍ、θ１が４４度に対して、下面Ａ２が２９０μｍ、Ｂ２が２４０μｍ、θ２が４２度で加工された例である。回転軸Ｒの軸間差などによって、Ａ１、Ｂ１、θ１、Ａ２、Ｂ２、θ２の値がウエーハ面取り機１０-１、１０-２、１０-３…の号機毎に異なって加工される。
【００４４】
また、図５（ｂ）は、加工後のウエーハＷの形状を示す断面図の一例であり、厚さが７４０μｍで上面Ａ１が３４０μｍ、Ｂ１が３００μｍ、θ１が４３度に対して下面Ａ２が２５０μｍ、Ｂ２が１９０μｍ、θ２が４０度と言うように、面取り加工部の対称性が崩れて加工される場合もある。上記のことから、ウエーハ面取り機１０-１、１０-２、１０-３…の号機毎に諸条件、特に回転軸の傾きの調整が重要であった。
【００４５】
図６は、ウエーハ面取り機１０が複数台設置されたウエーハ面取りラインにおけるウエーハの形状精度の管理及び修正方法を示すフローチャートであり、特に、研削砥石の回転軸の軸間差によるウエーハＷの形状への影響を修正するものである。図１のブロック図も参照して説明する。
【００４６】
ステップ１では、各ウエーハ面取り機１０-１、１０-２、１０-３…で加工されたウエーハＷを取り出し、ウエーハ形状測定機２でウエーハＷの端面形状などを測定する。測定されたデータをツルーイング装置３のコントローラ３-１へ入力する。
【００４７】
コントローラ３-１では、ステップ２として、図５のようなデータに基づいて砥石形状データ、特に砥石形状データの一つである回転軸Ｒの傾きを示す軸データ、あるいは回転軸Ｒの傾きと基準値との差を示す軸間差データとして変換する。ステップ３では、ステップ２で求められた値、軸間差データより研削砥石５５の形状を修正する、つまりツルーイングの要否を判定する。
【００４８】
図７は、ツルーイング装置３の砥石加工機３-２で行うツルーイングの動作を示した側面図である。ウエーハＷの周縁を仕上げ面取りする研削砥石５５のツルーイングに用いるツルーイング砥石１４１（以下ツルアー１４１と称する）が砥石加工機３-２のマスタテーブル１３４に取り付けられ、マスタモータ（図示せず）で回転される。砥石加工機３-２は、全てのウエーハ面取り機１０-１、１０-２、１０-３…に用いられる研削砥石５５のツルーイングを行うことが可能とされている。
【００４９】
図８は、砥石加工機３-２に設けられるマスター砥石１４２の断面図である。研削砥石５５のツルーイングに先立って、ツルアー１４１の外周部をマスター砥石１４２で加工し、ツルアー１４１の外周部にマスター砥石１４２の外周に設けられたマスター溝群１４３のうちいずれかの形状が転写される。
【００５０】
図９は、マスター溝群１４３を示す断面図であり、マスター溝１４３-１、１４３-２、…１４３-８と言うように、複数の溝が軸間差データに対応して設けられる。例えば、図３で示した回転軸Ｒの傾きの基準値が１５度である場合、マスター溝１４３-１は１５．０度に対応した形状、マスター溝１４３-２は１５．５度、マスター溝１４３-３は１６．０度、マスター溝１４３-４は１６．５度、マスター溝１４３-５は１７．０度、マスター溝１４３-６は１４．５度、マスター溝１４３-７は１４．０度、マスター溝１４３-８は１３．５度と言うように、基準値が１５度に対してプラス及びマイナスとなるように修正範囲に設定されている。基準値が１８度の場合も同様である。
【００５１】
ステップ４では、ステップ３でツルーイング要と判定されたウエーハ面取り機１０-１、１０-２、１０-３…に対して砥石形状データ、特に砥石形状データと基準値との差を軸間差とし、研削砥石５５の修正用としてマスター溝１４３-１、１４３-２、…１４３-８のいずれかが適しているかを決定する。
【００５２】
ステップ５では、ステップ４で決定されたマスター溝でツルアー１４１の外周部を加工して決定されたマスター溝の断面形状からツルアー１４１の外周部の断面形状へ転写する。そして、外周部に決定されたマスター溝の断面形状が転写されたツルアー１４１を用いて、研削砥石５５の研削溝を形成する。この加工においては、マスター砥石１４２が回転速度８，０００ｒｐｍで回転され、図７のＺ方向にツルアー１４１が移動して決定されたマスター溝の選択が行われる。
【００５３】
砥石加工機３-２は、ウエーハ面取り機１０が複数台設置されたウエーハ面取りラインで共通して用いることが可能とされるように加工条件が決められている。したがって、共通化された砥石加工機３-２によって各ウエーハ面取り機１０-１、１０-２、１０-３…の研削砥石５５（図２）をツルーイング加工するので、各ウエーハ面取り機１０-１、１０-２、１０-３…における個々の加工条件、特に研削砥石の回転軸の設定に依存しない。さらに、各ウエーハ面取り機１０-１、１０-２、１０-３…によって異なる加工条件による形状精度に対する影響を受けず、より正確で均一な品質を持った形状で転写が行われる。
【００５４】
ツルアー１４１の材質は、マスター砥石１４２によって加工することができる一方、研削砥石５５を研削することができるものを採用する。例えば炭化珪素からなる砥粒を、必要に応じて充填剤等も加えてフェノール樹脂で結合し、これを円盤状のツルアー１４１に成形したものが望ましい。
【００５５】
また、ツルアー１４１は、加工されるウエーハＷと同等以下の外径であり、同厚の円盤状ＧＣ（Ｇｒｅｅｎ  ｓｉｌｉｃｏｎ  ｃａｒｂｉｄｅ）砥石、又はＷＡ（Ｗｈｉｔｅ  ｆｕｓｅｄ  ａｌｕｍｉｎａ）砥石でも良く、砥石の粒度は＃３２０程度が良い。
【００５６】
ステップ６では、ステップ５で研削溝が形成された研削砥石５５を用いてウエーハＷを加工する。加工されたウエーハＷは、ステップ１へ戻って再び端面形状などが測定される。なお、ステップ１の形状測定は、ウエーハ面取り機１０が複数台設置されたウエーハ面取りラインが設置された初期には、ステップ１の形状測定を全てのウエーハ面取り機１０-１、１０-２、１０-３…で加工されたウエーハＷに対して行い、ステップ１からステップ６までの工程を行うことが望ましい。
【００５７】
また、この時ステップ４において、ウエーハ面取り機１０-１、１０-２、１０-３…の各号機に対してマスター溝１４３-１、１４３-２、…１４３-８のいずれかを決定したかをデータベース化してコントローラ３-１に記憶しておく。これにより、研削砥石の修正工程に要する時間が短縮されると共に、品質の管理が容易となる。
【００５８】
図１０に、ツルーイングした研削砥石５５（図７）で加工したウエーハＷの形状角度を実際に測定したツルーイングテスト結果を示す。テストでは、マスター溝群１４３（図８）のマスター溝は溝１〜溝５の五種類とし、ウエーハ面取り機１０-１、１０-２、１０-３…は、４機、それぞれ加工軸が２軸で、合計Ａ〜Ｈの８軸で行った。図１０で縦軸がマスター溝である溝１〜溝５、横軸が各加工軸Ａ〜Ｈである。なお、溝１は１７．６度、溝２は１７．８度、溝３は１８．０度、溝４は１８．２度、溝５は１８．４度とした。また、図３で示した回転軸Ｒの傾きの基準値が１８度としている。そして、加工軸毎に溝１〜溝５でウエーハＷを加工して形状を測定した結果である。
【００５９】
各加工軸で溝１〜溝５のうち目標形状である１８．０度となるものを選択することが最適となる。図１０から分かるように、加工軸Ａは溝２、加工軸Ｂは溝３、加工軸Ｃは溝４（あるいは溝５）、加工軸Ｄは溝３、加工軸Ｅは溝１、加工軸Ｆは溝２、加工軸Ｇは溝２、加工軸Ｈは溝２が最適となる。したがって、このテスト例では、各加工軸と最適な溝との関係をデータベース化してコントローラ３-１（図１）に記憶しておく。
【００６０】
ウエーハ面取りラインが設置され、生産が行われているときは、適宜、あるいは所定の時間又は所定のウエーハＷの加工枚数毎にステップ１の形状測定をウエーハ面取り機１０-１、１０-２、１０-３…で加工されたウエーハＷに対して行う。
【００６１】
この時は全てのウエーハ面取り機１０-１、１０-２、１０-３…に対して総時間が所定の時間又はウエーハＷの総加工枚数が所定値に達したとき、としたり、ウエーハ面取り機１０-１、１０-２、１０-３…のうちいずれかが、所定の時間又は所定のウエーハＷの加工枚数に達したとき、としたりすれば良い。
【００６２】
ただし、ウエーハ面取り機１０-１、１０-２、１０-３…のうちいずれかが、所定の時間又は所定のウエーハＷの加工枚数に達したときは、その時点でそのウエーハ面取り機の号機だけステップ１を行うことが、その時点で全てのウエーハ面取り機１０-１、１０-２、１０-３…に対してステップ１を行うことよりも生産性を落とすことがなく、効率が良い。
【００６３】
いずれにしても、ステップ１からステップ６を個別のウエーハ面取り機１０-１、１０-２、１０-３…の号機毎に行うのでなく、コントローラ３-１、砥石加工機３-２を有したツルーイング装置３を専用に設ける。これにより、集中して各ウエーハ面取り機の加工条件の違いを修正するので、量産ライン全体でウエーハの形状精度を総合的に管理することができる。なお、研削砥石５５の回転軸を傾けるヘリカル研削を行うことで説明したが、回転軸を傾けない通常の端面研削においても、ステップ１からステップ６と同様の修正を行えば、同様に量産ライン全体でウエーハの形状精度を総合的に管理し、品質の均一化を図ることができる。
【符号の説明】
【００６４】
Ｗ…ウエーハ、Ｒ…回転軸、１…ウエーハ面取りライン、２…ウエーハ形状測定機、３…ツルーイング装置、３-１…コントローラ、３-２…砥石加工機、１０、１０-１、１０-２、１０-３…ウエーハ面取り機、１１…本体ベース、２０…ウエーハ送りユニット、２１…Ｘ軸ベース、２２…Ｘ軸ガイドレール、２３…Ｘ軸リニアガイド、２４…Ｘテーブル、２５…Ｘ軸駆動機構、２６…Ｙ軸ガイドレール、２７…Ｙ軸リニアガイド、２８…Ｙテーブル、２９…Ｚ軸ガイドレール、３０…Ｚ軸駆動機構、３１…Ｚテーブル、３２…θ軸モータ、３３…θスピンドル、３４…ウェーハテーブル、４１…ツルアー、５０…砥石回転ユニット、５１…外周砥石スピンドル、５２…外周粗研削砥石、５３…ターンテーブル、５４…外周精研スピンドル、５５…研削砥石、５５ｕ…上面斜面、５５Ｃ…中央部、５５ｄ…下面斜面、５６…外周精研モータ、１４１…ツルーイング砥石（ツルアー）、１３４…マスタテーブル、１４２…マスター砥石、１４３…マスター溝群、１４３-１、１４３-２、１４３-３、１４３-４、１４３-５、１４３-６、１４３-７、１４３-８…マスター溝
【図１】
2019166624.tif 000003
【図２】
2019166624.tif 000004
【図３】
2019166624.tif 000005
【図４】
2019166624.tif 000006
【図５】
2019166624.tif 000007
【図６】
2019166624.tif 000008
【図７】
2019166624.tif 000009
【図８】
2019166624.tif 000010
【図９】
2019166624.tif 000011
【図１０】
2019166624.tif 000012